(57)【特許請求の範囲】
【請求項１】
記録媒体に音声データを記録するための音声記録回路と、前記記録媒体に記録されている音声データを再生するための音声再生回路と、前記音声記録回路及び前記音声再生回路の動作を制御する制御回路と、ユーザ操作に応じた操作信号を前記制御回路へ供給する入力装置とを具え、
前記制御回路は、前記記録媒体に一連の音声データが記録される過程で、一定の時間周期で、各時間周期内に記録されることとなる音声データにインデックス情報を付与し、
前記インデックス情報は、その後に続く音声データのファイル名を含み、当該ファイル名がデータ再生時に指定されることにより、前記ファイル名によって認識されるデータ記録開始位置から、音声データの再生が開始されることを特徴とする前記音声記録再生装置。
【請求項２】
前記一定の時間周期は、記録媒体の記録可能な残り時間を所定の整数値で除算した時間であることを特徴とする請求項１に記載の録音再生装置。
【請求項３】
前記入力装置の操作によって前記一定の時間周期の長さの設定が可能であって、前記制御回路は更に、前記記録媒体の記録可能な残り時間を検知する手段と、設定された前記一定の時間周期の長さと検知された残り時間とを比較する手段と、設定された前記一定の時間周期が前記検知された残り時間よりも短いときに限って、前記一定の時間周期による前記インデックス情報の付与を実行せしめる手段とを具えている請求項１又は請求項２に記載の音声記録再生装置。
【発明の詳細な説明】
【０００１】
【発明の属する技術分野】
本発明は、ＩＣレコーダの如く、ＩＣメモリ等の記録媒体に音声信号を記録し、該記録媒体から音声信号を再生することが可能な音声記録再生装置に関するものである。
【０００２】
【従来の技術】
ＩＣレコーダにおいては、録音動作によって、マイクロホンに入力された音声がデジタル音声信号としてＩＣメモリに記録され、再生動作によって、ＩＣメモリに記録されているデジタル音声信号が再生されて、スピーカから音声として出力される。
又、録音動作においては、図２（ａ）の如くＩＣメモリ（１）にインデックス情報と一連の音声データとが記録される。インデックス情報には、一連の音声データに対するファイル名やサンプリング周波数等が含まれ、録音開始時に自動的に書き込みが行なわれる。ここでファイル名は、例えばトラック番号（１，２，３…）を含み、録音を開始する度にこのトラック番号がインクリメントされて、ファイル名が自動的に更新される。
【０００３】
この様にして、複数回の録音動作が行なわれ、ＩＣメモリに複数の録音領域が形成されている場合において、所望の１つの録音領域から音声データを再生せんとするとき、例えばスキップキーを繰り返し操作することによって、ＩＣメモリに記録されている複数のインデックス情報が検索されて、データ再生の開始位置が次々とスキップされることになる。
従って、ユーザは、スキップキー等を操作することによって、迅速に、所望の録音領域から音声の再生を開始することが出来る。
【０００４】
【発明が解決しようとする課題】
しかしながら、従来のＩＣレコーダにおいては、図２（ａ）に示す如く録音開始時にインデックス情報が記録された後、録音終了まで音声データの記録が行なわれ、録音時間Ｔの長短に拘わらず、録音開始から録音終了までの音声データを１つのファイル（トラック）として管理していたため、例えば長時間の会議を録音した場合、その後のデータ再生において、会議の途中の必要な録音部分だけを聞きたいときには、早送り動作や再生動作を繰り返しながら、所望の録音部分を探し出す必要があるため、操作が極めて煩雑であり、所望の録音部分の再生を開始するまでに時間がかかる問題があった。
【０００５】
そこで本発明の目的は、所望の録音部分を迅速且つ容易に探し出して再生することが出来る音声記録再生装置を提供することである。
【０００６】
【課題を解決する為の手段】
本発明に係る録音再生装置は、記録媒体に音声データを記録するための音声記録回路と、前記記録媒体に記録されている音声データを再生するための音声再生回路と、前記音声記録回路及び前記音声再生回路の動作を制御する制御回路と、ユーザ操作に応じた操作信号を前記制御回路へ供給する入力装置とを具え、
前記制御回路は、前記記録媒体に一連の音声データが記録される過程で、一定の時間周期で、各時間周期内に記録されることとなる音声データにインデックス情報を付与し、
前記インデックス情報は、その後に続く音声データのファイル名を含み、当該ファイル名がデータ再生時に指定されることにより、前記ファイル名によって認識されるデータ記録開始位置から、音声データの再生が開始されることを特徴とする。
【０００７】
上記本発明の音声記録再生装置においては、記録媒体に一連の音声データが記録される過程で、一定の時間周期で、各時間周期内に記録されることとなる音声データにインデックス情報が付与されるので、一連の音声データは複数の音声データ部に分割されて、各音声データ部に１つのインデックス情報が付与されることになる。従って、その後のデータ再生において、所望の録音部分を探し出して再生せんとする場合、例えばスキップキーを操作することによって、複数のインデックス情報が検索され、これに伴って、記録媒体に形成されている複数の音声データ部の記録開始位置が次々とスキップされることになる。さらに、一連の音声データを構成する複数の音声データ部のそれぞれに１つのファイル名が付与されることになるので、所望の音声データ部のみを取り出して、他のＩＣメモリにダビングしたり、編集を加えることが可能となる。
【０００８】
具体的構成において、前記一定の時間周期は、記録媒体の記録可能な残り時間を所定の整数値で除算した時間に設定できる。
これによって、記録媒体の記録可能な残り時間の長短に応じて、前記一定の時間周期の長さを自動的に決定することが出来る。
【００１０】
又、他の具体的構成においては、入力装置の操作によって前記一定の時間周期の長さの設定が可能であって、前記制御回路は更に、前記記録媒体の記録可能な残り時間を検知する手段と、設定された前記一定の時間周期の長さと検知された残り時間とを比較する手段と、設定された前記一定の時間周期が前記検知された残り時間よりも短いときに限って、前記一定の時間周期による前記インデックス情報の付与を実行せしめる手段とを具えている。
これによって、ユーザが前記一定周期の長さを設定することが可能となり、例えば、大まかな検索を行なわんとする場合には長い周期を設定し、精細な検索を可能とする場合には短い周期を設定すればよい。周期の設定に際しては、記録媒体の記録可能な残り時間が参照されて、残り時間よりも長い周期の設定が回避される。
【００１１】
【発明の効果】
本発明に係る音声記録再生装置によれば、記録媒体の所望の録音部分を迅速且つ容易に探し出すことが出来る。
【００１２】
【発明の実施の形態】
以下、本発明をＩＣレコーダに実施した形態につき、図面に沿って具体的に説明する。
本発明に係るＩＣレコーダにおいて、図１に示す如く、マイクロホン（５）から得られる音声信号は増幅器（６）を経て音声記録再生回路（２）へ供給され、デジタルの音声データに変換され、該音声データは後述するインデックス情報と共にＩＣメモリ（１）に記録される。又、ＩＣメモリ（１）に記録されている音声データは音声記録再生回路（２）によって読み出され、アナログの音声信号に変換さる。該音声信号は増幅器（３）を経てスピーカ（４）へ供給される。
【００１３】
音声記録再生回路（２）の記録再生動作はマイクロコンピュータ（８）によって制御されており、該マイクロコンピュータ（８）にはキー入力装置（７）と表示器（９）が接続されている。ユーザは、キー入力装置（７）を操作することによって、録音動作、再生動作、早送り動作、スキップ動作等を指令することが出来る。表示器（９）には、動作状態などが表示される。
【００１４】
例えばユーザがキー入力装置（７）を操作して、録音動作を指令すると、マイクロコンピュータ（８）は、インデックス情報を生成して、音声記録再生回路（２）へ供給する。これに応じて、音声記録再生回路（２）は、ＩＣメモリ（１）にインデックス情報を書き込んだ後、その後に入力されてくる一連の音声データをＩＣメモリ（１）に書き込んでいく。
又、マイクロコンピュータ（８）は、前記一連の音声データをＩＣメモリ（１）に記録する過程で、図２（ｂ）に示す如く一定の周期ｔ（割当時間）で、各周期内に記録されることとなる音声データにインデックス情報を割り当てる。
【００１５】
図３は、マイクロコンピュータ（８）が実行する録音制御動作を表わしている。先ずステップＳ１では、録音開始のためのＲＥＣキーがオンになったか否かを判断し、イエスと判断されたときはステップＳ２に移行して、そのときに設定されている録音モードを確認する。尚、録音モードには、インデックス情報を自動的に割り当てるインデックス割当自動設定モードと、ユーザがインデックス情報の割当時間を指定するインデックス割当時間指定モードと、録音の途中ではインデックス情報の割当を行なわない通常録音モードとがある。
【００１６】
ステップＳ２の録音モード確認の後、ステップＳ３では、インデックス（Ｉｘ）割当自動設定モードであるか否かが判断され、イエスと判断されたときはステップＳ４に移行して、そのＩＣメモリの録音可能な残り時間をチェックする。続いて、ステップＳ５では、残時間よりインデックス割当時間を決定し、設定する。ここで、インデックス割当時間の決定には、例えば残時間が一定値以上であれば所定のインデックス割当時間を設定する方法、残時間を所定の整数値で除算した結果をインデックス割当時間として設定する方法等、種々の方法を採用することが可能である。
【００１７】
一方、ステップＳ３にてノーと判断されたときは、ステップＳ６にて更にインデックス割当時間指定モードであるか否かが判断され、ここでイエスと判断されたときはステップＳ７に移行して、ＩＣメモリの録音可能な残り時間をチェックする。続いてステップＳ８では、ユーザの操作によって入力されたインデックス割当時間を指定し、設定する。
その後、ステップＳ９にて、残時間が設定時間以上であるか否かを判断し、ノーと判断されたときはステップＳ１０にてインデックス割当時間の再入力を促した後、ステップＳ８へ戻って、インデックス割当時間の指定、設定を繰り返す。
【００１８】
ステップＳ９にてイエスと判断されたときは、ステップＳ１１に移行して、設定されたインデックス割当時間毎にインデックス情報を記録しながら、録音動作を実行する。ここで、インデックス情報には、ファイル名やサンプリング時間が含まれ、ファイル名としては、トラック番号（１，２，３，…）を含む任意の名称を採用することが出来る。この場合、インデックス割当時間毎にトラック番号がインクリメントされる。
その後、ステップＳ１２にて、録音を停止するためのＳＴＯＰキーがオンとなったか否かを判断し、ノーの場合はステップＳ１１に戻って録音動作を続行し、イエスと判断されたときにステップＳ１６に移行して、録音動作を停止する。
【００１９】
一方、ステップＳ６にてノーと判断されたときは、ステップＳ１３へ移行して、通常録音モードが設定されたか否かが判断され、ノーの場合はステップＳ２に戻って録音モードの確認を繰り返す。
ステップＳ１３にてイエスと判断されたときは、ステップＳ１４に移行して、通常録音を開始した後、ステップＳ１５にてＳＴＯＰキーがオンとなったか否かを判断し、ノーの場合はステップＳ１４に戻って通常録音を続行する。
その後、ステップＳ１５にてイエスと判断されたとき、ステップＳ１６に移行して、録音動作を停止する。
【００２０】
以上の手続きによって録音を行なった後、データ再生においては、キー入力装置（７）によりスキップ操作を行なうことによって、ＩＣメモリ（１）に記録されている複数のインデックス情報が検索されて、ＩＣメモリ（１）に形成されている複数の音声データ部の記録開始位置が次々とスキップされることになる。
【００２１】
従って、ユーザは、ＩＣメモリに形成されている複数の音声データ部の中から、迅速且つ容易に所望の音声データ部を検索して、その音声データ部から音声データを再生することが出来る。
又、各音声データ部には個別のファイル名が付与されているので、所望の音声データ部のみを取り出して、他のＩＣメモリにダビングしたり、編集を加えることが可能である。
【００２２】
尚、本発明の各部構成は上記実施の形態に限らず、特許請求の範囲に記載の技術的範囲内で種々の変形が可能である。例えば本発明は、ＩＣレコーダに限らず、種々の音声記録再生装置に実施することが出来る。
【図面の簡単な説明】
【図１】本発明に係るＩＣレコーダの構成を示すブロック図である。
【図２】ＩＣメモリに記録されているインデックス情報及び音声データの記録状態を従来と本発明で比較した図である。
【図３】本発明のＩＣレコーダにおける録音制御手続きを表わすフローチャートである。
【符号の説明】
（１）  ＩＣメモリ
（２）  音声記録再生回路
（４）  スピーカ
（５）  マイクロホン
（７）  キー入力装置
（８）  マイクロコンピュータ
（９）  表示器
【図１】
0003583971.tif 000002
【図２】
0003583971.tif 000003
【図３】
0003583971.tif 000004